(57)【特許請求の範囲】
【請求項１】
面ファスナを有する壁パネルと、面ファスナを有する床パネルとを、相互に前記面ファスナで接合し、前記壁パネルおよび床パネルは、各々金属製のパネルフレームと、このパネルフレームに張った面材と、パネル内に充填した発泡樹脂製の断熱材とを有するものであり、壁パネルおよび床パネルのいずれか片方または両方における一部または全部の面ファスナが、パネル内に充填された発泡樹脂製の断熱材に、その溶融樹脂の発泡成形に伴って一体に付着させたものである面ファスナ利用建物構造。
【請求項２】
面ファスナを有する壁パネルと、面ファスナを有する床パネルとを、相互に前記面ファスナで接合し、壁パネルの下縁に沿って切欠を設け、この切欠に床パネルの側縁部を嵌合させ、前記切欠の内部および外部の両方で、面ファスナによる壁パネルと床パネルとの接合を行い、壁パネルおよび床パネルのいずれか片方または両方における一部または全部の面ファスナが、パネル内に充填された発泡樹脂製の断熱材に、その溶融樹脂の発泡成形に伴って一体に付着させたものである面ファスナ利用建物構造。
【請求項３】
面ファスナを有する壁パネルと、面ファスナを有する床パネルとを、相互に前記面ファスナで接合し、前記壁パネルおよび床パネルは、各々金属製のパネルフレームと、このパネルフレームに張った面材と、パネル内に充填した発泡樹脂製の断熱材とを有するものであり、壁パネルの下縁に沿って切欠を設け、この切欠に床パネルの側縁部を嵌合させ、前記切欠の内部および外部の両方で、面ファスナによる壁パネルと床パネルとの接合を行い、壁パネルおよび床パネルのいずれか片方または両方における一部または全部の面ファスナが、パネル内に充填された発泡樹脂製の断熱材に、その溶融樹脂の発泡成形に伴って一体に付着させたものである面ファスナ利用建物構造。
【請求項４】
並設される各外壁パネルを、外部パネルと内部パネルとの２重に形成し、これら外部パネルと内部パネルの幅方向位置を交互にずらし、これら外部パネルと内部パネルとは互いの重なり面に面ファスナを設け、各外部パネルを隣合う２枚の内部パネルに前記面ファスナで接合し、壁パネルおよび床パネルのいずれか片方または両方における一部または全部の面ファスナが、パネル内に充填された発泡樹脂製の断熱材に、その溶融樹脂の発泡成形に伴って一体に付着させたものである面ファスナ利用建物構造。
【請求項５】
並設される各外壁パネルを、外部パネルと内部パネルとの２重に形成し、これら外部パネルと内部パネルの幅方向位置を交互にずらし、これら外部パネルと内部パネルとは互いの重なり面に面ファスナを設け、各外部パネルを隣合う２枚の内部パネルに前記面ファスナで接合した面ファスナ利用建物構造。
【請求項６】
面ファスナを有する壁パネルと、面ファスナを有する床パネルとを、相互に前記面ファスナで接合し、壁パネルの下縁に沿って切欠を設け、この切欠に床パネルの側縁部を嵌合させ、前記切欠の内部および外部の両方で、面ファスナによる壁パネルと床パネルとの接合を行った面ファスナ利用建物構造の構築方法であって、互いに方向を異ならせて隣接する２面の面ファスナの接合に際して、片方の面の面ファスナによる接合時にもう片方の面の面ファスナをシート類で覆っておき、前記片方の面の面ファスナによる接合が終わった後、前記シート類を取り除いてもう片方の面の面ファスナによる接合を行う面ファスナ利用建物の構築方法。
【請求項７】
前記面ファスナ利用建物構造における前記壁パネルおよび床パネルは、各々金属製のパネルフレームと、このパネルフレームに張った面材と、パネル内に充填した発泡樹脂製の断熱材とを有するものである請求項６記載の面ファスナ利用建物の構築方法。
【発明の詳細な説明】
【０００１】
【発明の属する技術分野】
この発明は、壁パネル，天井パネル，床パネル等の構造材を相互に接合する接合手段として面ファスナを利用した住宅，その他の建物構造に関する。
【０００２】
【従来の技術】
従来の鉄骨系の工業化住宅では、柱，耐力壁，屋根トラス，梁，ブレース等の主要構造材の相互を、ボルト，溶接，釘打ちなどにより接合して構築していた。このことは、構造材として予め工場で生産した壁パネル，床パネル，天井パネルを現場で組み合わせるパネル工法や、パネル・軸組併用工法の建物の場合でも同様である。
【０００３】
【発明が解決しようとする課題】
しかし、上記のようにボルト，溶接，釘打ちにより構造材の相互を接合する建物構造では、程度の差こそあれ、いずれも訓練を積んだ専門職が特殊な工具を使って施工しなければならず、工期が長くなり、素人には無理な作業となる。
工法の内容についても、例えば軽鉄プレハブ工法（パネル・軸組工法）では、さらに柱、耐力壁、非耐力壁など、構造部品を用途毎に分化しており、さらに壁パネルは構造材（鉄）、下地材（木）、仕上材、断熱材（グラスウール）など、個々に異なる機能を持ち、全てを組み合わせることにより、所定の機能を満たす考え方に依っている。そのため、工場生産を進めるにしても、多大な手間がかかり、重量が増し、さらにコスト上昇につながるといった問題に直結する。
【０００４】
この発明は、このような課題を解消し、特殊な工具を要することなく多能工等の作業により簡単にかつ短工期で構築できる面ファスナ利用建物構造を提供することを目的とする。
【０００５】
【課題を解決するための手段】
この発明の面ファスナ利用建物構造は、建物強度を負担する構造材を相互に面ファスナで接合したものである。
この構成によれば、特殊な工具を用いることなく素人の作業で簡単かつ短期に建物を構築することができる。すなわち、建物における主要な接合部に面ファスナを使用することにより、現場での特殊な加工や危険作業，時間のかかる作業を省略し、簡易にかつ短工期で施工できる。また、面ファスナの着脱性を生かし、増改築や移築も容易となる。
【０００６】
この発明の面ファスナ利用建物構造は、面ファスナを有する壁パネルと、面ファスナを有する床パネルとを、相互に前記面ファスナで接合したものであっても良い。このようにパネル化した壁および床の接合に面ファスナを使用することにより、一層構築作業が簡単となり、また強度確保も図り易くなる。
【０００７】
前記面ファスナ利用建物構造において、前記壁パネルおよび床パネルを、各々金属製のパネルフレームと、このパネルフレームに張った面材と、パネル内に充填した発泡樹脂製の断熱材とを有するものとしてもよい。このようなパネル構造とすることにより、軽量で、断熱化の優れた壁パネルおよび床パネルとでき、建物部品数の削減、コスト低下を図ると同時に、断熱性の向上が実現できる。
また、前記金属製のパネルフレームとして、薄肉のスチールを成形した軽量形鋼を用い、また高強度の断熱材および面材を使用することで、前記壁パネルを鉛直荷重および水平荷重の負担が可能な軽量の耐力壁とでき、また床パネルや屋根パネル、壁梁等も同様な構成とでき、これらの構成部材を高強度の面ファスナで立体的に連結することにより、建物全体として高い剛性を確保することができる。前記のような軽量形鋼のパネルフレームと面材，断熱材を用いた壁パネル，床パネルの場合、２〜３人程度で持ち運びができる程度の軽量なパネルとでき、これを面ファスナで接合するため、特殊な工具を使用せずに、簡単に組み立てることができ、素人でも建てることができる。
【０００８】
また、前記面ファスナ利用建物構造において、壁パネルの下縁に沿って切欠を設け、この切欠に床パネルの側縁部を嵌合させ、前記切欠の内部および外部の両方で、面ファスナによる壁パネルと床パネルとの接合を行ってもよい。この構成によれば、嵌合と面ファスの接合とによって壁パネルと床パネルの相互が連結され、また２方向の接合が行えるので、満足できる連結強度を確保できる。
【０００９】
この発明の請求項５記載の面ファスナ利用建物構造は、並設される各外壁パネルを、外部パネルと内部パネルとの２重に形成し、これら外部パネルと内部パネルの幅方向位置を交互にずらし、これら外部パネルと内部パネルとは互いの重なり面に面ファスナを設け、各外部パネルを隣合う２枚の内部パネルに前記面ファスナで接合したものである。
この構成によれば、面ファスナによる接合面が広くなり、隣合う外壁パネルの連続性が堅固となるため、外壁に十分な強度が確保される。また、面ファスナは外壁パネルの内部に隠れるので、防火性能が向上する。
【００１０】
前記面ファスナ利用建物構造において、壁パネルおよび床パネルのいずれか片方または両方における一部または全部の面ファスナを、パネル内に充填された発泡樹脂製の断熱材に、その溶融樹脂の発泡成形に伴って一体に付着させてもよい。発泡樹脂としてはウレタン等が使用できる。この構成の場合、パネル成形後に面ファスナをパネルフレーム等に接着する作業が不要となり、パネルの製造が容易になる。しかも、ウレタン等の発泡樹脂による接着力は強固に得られるため、面ファスナがその裏面と壁パネルや床パネルの構成部材等の間で剥離する問題も解消される。
【００１７】
この発明の請求項６記載の面ファスナ利用建物の構築方法は、前記面ファスナ利用建物の構築方法であって、互いに方向を異ならせて隣接する２面の面ファスナの接合に際して、片方の面の面ファスナによる接合時にもう片方の面の面ファスナをシート類で覆っておき、前記片方の面の面ファスナによる接合が終わった後、前記シート類を取り除いてもう片方の面の面ファスナによる接合を行うものである。
角度をなす２面を面ファスナで接合する場合、同時に接合すると、その接合過程で各面の面ファスナの接合の進行が隣の面の面ファスナの接合の進行を阻害することがあるが、上記のようにシート類で覆って各面を順に接合することで、角度をなす２面の両方で、面ファスナの確実な接合が行える。
【００１８】
【発明の実施の形態】
この発明の第１の実施形態を図１ないし図６と共に説明する。
図１はこの実施形態に係る面ファスナ利用建物構造の要部を示す縦断面図である。この建物構造は、床パネル１、壁パネル２，２Ａ，２Ｂ、屋根パネル３などの構造材を相互に接合して構築したものである。１階の床パネル１は、金属製のパネルフレーム４と、このフレーム４の内側に充填した発泡樹脂製の断熱材５とを有し、前記断熱材５の上面と前記パネルレーム４の外周面には面ファスナ６が付着させてある。パネルフレーム４には、例えば比較的薄肉の軽量形鋼（ＬＧＳ）が用いられ、内向きの溝形またはリップ溝形としたもの等が使用される。断熱材５は、押出発泡ポリスチレンや、ウレタン樹脂等の発泡樹脂が使用される。
【００１９】
前記床パネル１および壁パネル２を支持する外周の布基礎７Ａはプレキャストコンクリート等からなり、その上端には土台となる金属製のフレーム８が一体に設けられていて、このフレーム８の表面に面ファスナ６が接着してある。フレーム８は、基礎７Ａの天端面の外周部が上方へ突出する溝形部分とその下端から内側へ延びる平板部分とを有している。また、フレーム８には、床パネル１を位置決めする位置決めピン９Ａと、壁パネル２を位置決めする位置決めピン９Ｂとが突設させてある。床パネル１を支持する内部布基礎７Ｂもプレキャストコンクリート等からなり、その上端には床パネル１を位置決めする位置決めピン９Ａが突設されている。これら布基礎７Ａ，７Ｂ上への床パネル１の設置に際しては、床パネル１のパネルフレーム４に設けられた図示しないピン挿通孔に、布基礎７Ａ，７Ｂの位置決めピン９Ａを挿通させる。これにより、床パネル１を布基礎７Ａ，７Ｂ上の正しい位置に配置することができる。また、この設置状態で、布基礎７Ａ側の面ファスナ６と床パネル１側の面ファスナ６とが接合し、布基礎７Ａ，７Ｂ上への設置強度が向上する。床パネル１の設置後に、その上面に図４のように床仕上材１０を張り付ける。この床仕上材１０の裏面には面ファスナ６を付着させておく。これにより、床仕上材１０の面ファスナ６と床パネル１上の面ファスナ６とで、床仕上材１０が床パネル１上に接合される。なお、床仕上材１０は工場生産過程で床パネル１に設けておいても良い。床パネル１の短辺側では、そのパネルフレーム４の下側または上側に図３のように切欠４ａが形成されており、短辺同士が隣接する両床パネル１，１間では、それらの切欠４ａ，４ａが互いに噛み合うようにしてある。すなわち合欠接合となる。また、両床パネル１，１間は面ファスナ６を介して接合する。このため、床パネル１の設置強度が一層向上する。
【００２０】
１階の外壁を構成する壁パネル２，２Ａも、金属製のパネルフレーム１４と、このフレーム１４の内側に充填した発泡樹脂製の断熱材５とを有し、前記パネルレーム１４の外周面には面ファスナ６が付着させてある。フレーム１４および断熱材５は、前述の床パネル１と同様な材質，形状のものが使用される。また、前記パネルフレーム１４の上下端の屋内側または屋外側には切欠１４ａが形成されている。外周布基礎７Ａ上への壁パネル２，２Ａの設置に際しては、壁パネル２，２Ａのパネルフレーム１４の下端に設けられた図示しないピン挿通孔に布基礎７Ａ側の位置決めピン９Ｂを挿通させる。これにより、壁パネル２，２Ａを布基礎７Ａ上の正しい位置に立設することができる。この設置状態で、布基礎７Ａ側および床パネル１側の面ファスナ６と、壁パネル２，２Ａ下端の面ファスナ６とを接合する。壁パネル２，２Ａの下端の切欠１４ａが床パネル１の端部に噛み合うので、壁パネル２の接合強度が一層向上する。一方、床パネル１では、その端部が布基礎７Ａ上の切欠８ａと壁パネル２，２Ａの下端の切欠１４ａとに噛み合う状態となるので、その接合強度がさらに向上する。壁パネル２，２Ａの設置後に、その両面に図４のように外装用および内装下地用の面材２０を張り付ける。この面材２０の裏面には面ファスナ６を付着させておく。これにより、面材２０の面ファスナ６と壁パネル２，２Ａ上の面ファスナ６とで、面材２０が壁パネル２，２Ａの両面に接合される。面材２０は、壁パネル２に工場生産過程で設けておいても良い。前記壁パネル２のパネルフレーム１４の上端には２階の床パネル１を位置決めする位置決めピン９Ａと後述する２階用壁パネル２Ｂを位置決めする位置決めピン９Ｂが突設されている。これら位置決めピン９Ａ，９Ｂは、壁パネル２に設けておいたピン嵌合孔に現場で差込むことなどによって突設する。
【００２１】
２階用壁パネル２Ｂも前記壁パネル２，２Ａとほぼ同様の構成である。そのパネルフレーム１４の上端には後述する屋根パネル３を位置決めする位置決めピン９Ｃが前記と同様に突設されている。ただし、このパネルフレーム１４の上端には切欠は形成されない。この壁パネル２Ｂは屋内壁としても使用される。１階の屋内壁として使用する場合には、切欠１４ａのある方が上端となるように上下を逆にする。ただし、この場合、切欠１４ａのある端部側に位置決めピン９Ａ，９Ｂを突設する。
【００２２】
２階においても１階と同じ床パネル１を使用する。この２階の床パネル１は、１階の壁パネル２，２Ｂの上端間に横架して設置する。すなわち、床パネル１のパネルフレーム４に設けた図示しないピン挿通孔に、壁パネル２，２Ｂの上端の位置決めピン９Ａを挿通させることにより、壁パネル２，２Ｂの上端の切欠１４ａに床パネル１の端部が噛み合う正しい位置に床パネル１が設置される。この設置状態で、床パネル１と壁パネル２，２Ｂとを面ファスナ６により接合する。このようにして、２階の床パネル１を設置した後、その下面に天井面材２１を張り付ける。この天井面材２１の裏面には面ファスナ６を付着させておく。これにより、天井面材２１の面ファスナ６と床パネル１の下面の面ファスナ６とで、天井面材２１が床パネル１の下面に接合される。
【００２３】
２階の壁パネル２Ｂは、１階の壁パネル２，２Ａ，２Ｂの上に継ぎ足した状態に連結するが、その連結部が床パネル１の設置部となる場合は、下端の切欠１４ａが床パネル１の端部と噛み合う向きに配置する。設置にあたっては、その下端のパネルフレーム１４に形成された図示しないピン挿通孔に１階の壁パネル２，２Ｂの上端の位置決めピン９Ｂを挿通させて位置決めを行う。これにより、２階の壁パネル２Ｂの下端は面ファスナ６を介して１階の壁パネル２，２Ｂおよび２階の床パネル１に接合する。このようにして２階の壁パネル２Ｂを設置した後で、２階の床パネル１の上に床仕上材１０を１階の場合と同様にして張り付ける。
【００２４】
１階の壁パネル２Ａと２階の壁パネル２Ｂの連結部が床パネル１の設置部とならない場合は、１階の壁パネル２Ａの上端の切欠１４ａに２階の壁パネル２Ｂの下端の切欠１４ａが噛み合うように向きを定めて２階の壁パネル２Ｂを設置する。
【００２５】
図１では、フラット型の屋根パネル３を設置した建物の例を示している。この屋根パネル３も、金属製のパネルフレーム２４と、そのパネルフレーム２４内に充填した発泡樹脂製の断熱材５とを有し上下面や側面には面ファスナ６が付着させてある。また、上面から屋外側に向く側面にわたっては、面ファスナ６の接合により外装面材２６が張り付けてある。さらに、前記外装面材２６の屋外側に向く角部には樋２７が取り付けられる。この樋２７は、樋本体２８をヒンジ２９の一片２９ａに固定したものであり、前記ヒンジ２９の他の一片２９ｂを面ファスナ６を介して前記屋根パネル３に接合することにより取り付けられる。前記屋根パネル３の前記２階の壁パネル２Ｂ上への設置においても、屋根パネル３の下面側に形成したピン挿通孔に壁パネル２Ｂの位置決めピン９Ｃを挿通させることにより位置決めする。このように設置することにより、面ファスナ６を介して屋根パネル３が２階の壁パネル２Ｂの上に接合される。
【００２６】
図６は上記建物構造に使用する面ファスナ６の各例を示したものである。図６（Ａ）はファスナ基材６ｃに半球形の頭部を有する無数の係合体６ａを植毛したファスナ６Ａと、ファスナ基材６ｃにループ状の無数の係合体６ｂを植毛したフスナ６Ｂとの組み合わせからなるものであり、例えば前記床パネル１側には前記ファスナ６Ａを、床パネル１に接合させる壁パネル２，２Ａ側には前記ファスナ６Ｂを付着させる。図５（Ｂ）はファスナ基材６ｃにフック状の無数の係合体６ａを植毛したファスナ６Ａと、ファスナ基材６ｃにループ状の無数の係合体６ｂを植毛したファスナ６Ｂとの組み合わせからなるものである。図５（Ｃ）は球形の頭部を有する無数の係合体６ａを植毛した一組のファスナ６Ａ，６Ｂからなるものである。このように、面ファスナ６は、互いに係合する無数の係合体が設けられたものであれば良く、その具体的構成は特に問わない。また、互いに接合される面ファスナ６Ａ，６Ｂは、係合体に雄雌等の区別があるものに限らず、区別がないものを使用しても良い。
【００２７】
なお、前記建物を構築する場合、例えば前記１階の壁パネル２の上端と、２階の床パネル１との接合においは、予め図５（Ａ）のように壁パネル２の上端の切欠１４ａの縦面の面ファスナ６にシート類３６で覆っておいて、その切欠１４ａの横面の面ファスナ６と、床パネル１の下面の面ファスナ６との接合を行い、その接合が終わった後、図５（Ｂ）のように前記シート類３６を抜き取って、壁パネル２の切欠１４ａの縦面の面ファスナ６と、床パネル１の縦面の面ファスナ６との接合を行ってもよい。このような手順で行うことにより、異なる２面で互いに接合される壁パネル２と床パネル１との接合を、円滑にかつ十分な接合強度が確保できるように行うことができる。このような手法は、布基礎７Ａへの床パネル１の接合など、他の接合箇所においても採用することができる。
【００２８】
図１では、フラット型の屋根パネル３を使用した場合を示したが、図２のように切妻型の屋根パネル３Ａを使用してもよい。この屋根パネル３Ａは、前記フラット型の屋根パネル３とほぼ同様の構成のパネル本体３３の２枚を、ヒンジ３０を介して連結すると共に、ヒンジ３０で連結される両パネル本体３３，３３の端部間にできる隙間に断面が方形の棒状体３４を取り付けたものであり、そのパネル本体３３の裏面に取り付けた別のヒンジ３５を介して２階の壁パネル２Ｂの上端に連結する。また、パネル本体３３の下端すなわち軒先には、図１の場合と同様の樋２７を取り付ける。前記両パネル本体３３への、ヒンジ３０，３５、棒状体３４および樋２７の取付けは、面ファスナ６の接合によって行う。この屋根パネル３Ａでは、前記ヒンジ３０により屋根勾配を自在に可変設定できるので、組み立て段階で容易に設計変更が可能である。
【００２９】
前記構成の面ファスナ利用建物構造では、ボルトや溶接や釘打ちによらず、床パネル１、壁パネル２，２Ａ，２Ｂ、屋根パネル３，３Ａなどの構造材の相互を面ファスナ６によって接合するので、専門職によらず特殊な工具を要することなく、素人の作業により短期間で構築できる。また、解体も容易なため、リサイクルにも有効である。したがって、仮設住宅や、アトリエ等として利用できる。図７（Ａ）〜（Ｄ）は、前記面ファスナ利用建物構造を住宅用として構築した一例を示す縦断面図、および各階の平面図であり、その増築例を同図（Ｅ）〜（Ｈ）に示す。このような増築や改築が、面ファスナによる各部の接合のために容易に行える。
【００３０】
図８ないし図１１は、この発明の面ファスナ利用建物構造の第２の実施形態を示す縦断面図である。この実施形態では、建物の外壁パネル４２を、外部パネル４２ａと内部パネル４２ｂとを重ねてなる二重構造としたものである。外部パネル４２ａと内部パネル４２ｂの幅方向位置は図１０（Ａ）に水平断面図で示すように交互に半幅ずつずらしている。外部パネル４２ａは、図９および図１０（Ｂ）に斜視図および水平断面図で示すように、金属製のパネルフレーム４４と、このパネルフレーム４４内に充填した発泡樹脂製の断熱材５と、パネルの片面や上下端の一部に付着させた面ファスナ６と、パネルの他の片面に張り付けた面材４６と、パネルの両側面に取付けたガスケット４７とを有する。パネルフレーム４４および断熱材５の材質は、前記実施形態と同様に、溝形等の軽鉄性のもの、および発泡樹脂製のものが各々使用される。面ファスナ６は、前記断熱材５となるウレタン樹脂の発泡成形に伴って、この断熱材４４に一体に付着させる。なお、パネルフレーム４４には、図９のように帯板状の軽鉄からなる帯状の補強フレーム材４８を付加してもよい。補強フレーム材４８は、筋違となるように外部パネル４２ａの角部間に設けても良い。この補強フレーム材４８で用いる軽鉄および前記各パネルフレームに用いる軽鉄は、厚み０．４〜０．９ｍｍ程度のものが好ましい。
【００３１】
内部パネル４２ｂの構造の詳細は図示しないが、外部パネル４２ａと略同様の構造であり、前記ガスケット４７を持たない点が異なるのみである。前記外部パネル４２ａと内部パネル４２ｂの接合は、各パネル４２ａ，４２ｂの面ファスナ６によって行う。この場合、外部パネル４２ａと内部パネル４２ｂを互いにずらして接合するため、例えば外部パネル４２ａは隣接する２枚の内部パネル４２ｂに跨がって接合されることになり、その接合強度が大幅に向上する。また、外部パネル４２ａと内部パネル４２ｂを接合する面ファスナ６は一般的に樹脂製であるが、前記外壁パネル４２に構造において、面ファスナ６は外壁パネル４２の内部に隠れてしまうため、防火性能が向上することになる。なお、前記各部に用いる面ファスナ６としては、樹脂製のものの他に金属製のものを用いても良い。
【００３２】
また、図８に示すように、１階の外壁パネル４２の上下端や、２階の外壁パネル４２の下端には床パネル１と嵌合する切欠４２ｃを形成する。この外壁パネル４２の構成の場合、前記切欠４２ｃは、前記外部パネル４２ａに対して、前記内部パネル４２ｂの高さ寸法を若干短くすることにより容易に形成することができる。外壁パネル４２と床パネル１とを図１０（Ｃ）のように面ファスナ６の接合により連結する構造は、先の実施形態の場合と同様である。
【００３３】
なお、前記外壁パネル４２に開口を設ける場合は、図１１のように外部パネル４２ａおよび内部パネル４２ａに開口４９の一部を構成する切欠４９ａを形成したり、開口部専用の外部パネル４２ａａや内部パネル４２ｂｂを使用する。外壁パネル４２に比べて強度が小さくてよい間仕切壁パネル５０の場合、二重構造とする内外の両パネル５０ａ，５０ｂは、幅方向にずらさなくてもよい。
【００３４】
図１２は、先の各実施形態において使用する床パネルの他の例を示す斜視図である。この床パネル１Ａは、パネルフレーム４内に充填して設けられる発泡樹脂製の断熱材５の上面に配線配管用溝５１を形成したものであり、その断熱材５の上面には床仕上材１０が張り付けられる。断熱材５の上面への前記床仕上材１０の張り付けは、面ファスナ６の接合によって行われる。その他の構成は、先の実施形態における床パネル１の場合と同様である。この床パネル１Ａによると、設置後に、別途、配線用や配管用の空間を確保する作業が要らないので、さらに施工が容易になる。
【００３５】
なお、前記各実施形態において、間仕切壁パネル５０の設置は例えば図１３にようにして行う。図１３（Ａ）はその一例を示す。この例では、間仕切壁パネル５０の下端を、床パネル１に設けられた溝１ａ内にゴムマット５２を介在させて嵌合し、前記間仕切壁パネル５０の上端面と天井面材２１との間にスペーサ５３を介在させ、間仕切壁パネル５０の上端面を面ファスナ６で前記スペーサ５３に接合したものである。スペーサ５３と天井面材２１との接合も面ファスナ６で行う。このように構成することにより、間仕切壁パネル５０の設置も、ボルト、溶接、釘打ちによらず、特殊な工具も用いることなく素人の作業で簡単に行うことができる。なお、床パネル１の溝１ａへの前記間仕切壁パネル５０の下端の嵌合においては、図１３（Ｂ）のように、間仕切壁パネル５０の下端にばね部５４ａと幅木５４ｂとが一体となった下地材５４を設け、この下地材５４の下端を前記床パネル１の溝１ａに嵌合させることにより、前記ゴムマット５２を省略してもよい。
【００３６】
また、内外の両パネル５０ａ，５０ｂにより二重構造とした間仕切壁パネル５０の場合には、図１３（Ｃ）のように両パネル５０ａ，５０ｂを上下にずらして重ね、下側に突出する片方のパネル５０ａの下端を下階の床パネル１の上面に形成した溝１ａに嵌合させ、上側に突出するもう片方のパネル５０ｂの上端を上階の床パネル１の下面に形成した溝１ｂに嵌合させてもよい。この場合、パネル５０ｂの下端と床パネル１の上面との間にできる空間Ａや、パネル５０ａの上端と床パネル１の下面との間にできる空間Ｂを配線用空間として利用できるので、別途、配線用空間を確保するための施工を省略できる。
【００３７】
【発明の効果】
この発明の面ファスナ利用建物構造は、構造材を相互に面ファスナで接合したため、特殊な工具を要することなく多能工等の作業により簡単にかつ短工期で構築することができる。
また、壁パネルおよび床パネルとして、金属製のパネルフレームと、このパネルフレームに張った面材と、パネル内に充填した発泡樹脂製の断熱材とを有するものとした場合は、比較的に軽量のパネルとできて、人手で持ち運びが行え、一層構築が簡単となる。また、断熱性にも優れ、かつ工場生産性にも優れた壁パネルおよび床パネルとできる。
【図面の簡単な説明】
【図１】この発明の一実施形態に係る面ファスナ利用建物構造の要部を示す縦断面図である。
【図２】同面ファスナ利用建物構造の屋根部の他の例を示す縦断面図である。
【図３】同面ファスナ利用建物構造における床パネルの短辺側を示す断面図である。
【図４】同面ファスナ利用建物構造における床パネルおよび壁パネルへの面材張付け手順を示す説明図である。
【図５】同面ファスナ利用建物構造における床パネルと壁パネルの接合方法を示す説明図である。
【図６】同面ファスナ利用建物構造に使用する面ファスナの各例を示す側面図である。
【図７】（Ａ）は同面ファスナ利用建物構造による建物の一例を示す縦断面図、（Ｂ）〜（Ｄ）はその各階の平面プラン図、（Ｅ）は同建物の増改築後の状態を示す縦断面図、（Ｆ）〜（Ｈ）はその各階の平面プラン図である。
【図８】この発明の他の実施形態に係る面ファスナ利用建物構造の要部縦断面図である。
【図９】同面ファスナ利用建物構造における外壁パネルを構成する外部パネルの斜視図である。
【図１０】（Ａ）は同外壁パネルの水平断面図、（Ｂ）は同外壁パネルを構成する外部パネルの水平断面図、（Ｃ）は同外壁パネルと床パネルの接合構造を示す縦断面図である。
【図１１】同面ファスナ利用建物構造の要部分解斜視図である。
【図１２】前記各実施形態における床パネルの他の例を示す斜視図である。
【図１３】（Ａ）は前記各実施形態における間仕切壁パネルの設置構造の一例を示す縦断面図、（Ｂ）は同間仕切壁パネルの下端構造の他の例を示す縦断面図、（Ｃ）は同間仕切壁パネルの設置構造の他の例を示す縦断面図である。
【符号の説明】
１，１Ａ…床パネル、１ａ…溝、２，２Ａ，２Ｂ…壁パネル、３，３Ａ…屋根パネル、４，１４，２４，４４…パネルフレーム、１４ａ…切欠、５…断熱材、６…面ファスナ、１０…床仕上材、２１…天井面材、２６…外装面材、３０…ヒンジ、３６…シート類、４２…外壁パネル、４２ａ…外部パネル、４２ｂ…内部パネル、５０…間仕切壁パネル、５１…配線配管用溝、５３…スペーサ
【図１】
0003865830.tif 000002
【図２】
0003865830.tif 000003
【図３】
0003865830.tif 000004
【図４】
0003865830.tif 000005
【図５】
0003865830.tif 000006
【図６】
0003865830.tif 000007
【図７】
0003865830.tif 000008
【図８】
0003865830.tif 000009
【図９】
0003865830.tif 000010
【図１０】
0003865830.tif 000011
【図１１】
0003865830.tif 000012
【図１２】
0003865830.tif 000013
【図１３】
0003865830.tif 000014